(57)【要約】【課題】  本発明では無線ストロボの発光制御時に、カメラと外部機器の間で通信されるＷｉ−Ｆｉ（登録商標）やＢｌｕｅｔｏｏｔｈ  Ｌｏｗ  Ｅｎｅｒｇｙ（登録商標）との通信干渉による発光制御の失敗を低減するシステムを提供することができる。【解決手段】  撮像装置は第一の通信手段と第二の通信手段を有し、第一の通信手段は撮像装置アクセサリと通信することを特徴とし、第二の通信手段は外部機器と通信することを特徴とし、撮像装置アクセサリは撮像装置と通信する第三の通信手段と発光手段を有し、撮像装置から撮像装置アクセサリの発光手段を制御する前に、第一の通信手段が使用しているチャネルを変更する必要があるか判定する手段を有し、判定手段によりチャネルを変更する場合、撮像装置アクセサリへ第二の通信手段が使用しているチャネルに対応する周波数帯と重ならないチャネルに変更するよう通知する手段を有する。【選択図】  図１
2018129644.tif 000002
【特許請求の範囲】
【請求項１】
撮像装置（１００）と撮像装置アクセサリ（２００）、外部機器（３００）を含む通信システムであって、
前記撮像装置（１００）は第一の通信手段（１０８）と第二の通信手段（１０９）を有し、
前記第一の通信手段（１０８）は前記撮像装置アクセサリ（２００）と通信することを特徴とし、
前記第二の通信手段（１０９）は前記外部機器（３００）と通信することを特徴とし、
前記撮像装置アクセサリ（２００）は前記撮像装置（１００）と通信する第三の通信手段（２０６）と発光手段（２０２）を有し、
前記撮像装置（１００）から前記第一の通信手段（１０８）を介して前記撮像装置アクセサリ（２００）の前記発光手段（２０２）を制御する前に、前記第一の通信手段（１０８）が使用しているチャネルを変更する必要があるか判定する手段（１０３）を有し、
前記判定手段（１０３）によりチャネルを変更する場合、前記第一の通信手段（１０８）を介して前記撮像装置アクセサリ（２００）へ前記第二の通信手段（１０９）が使用しているチャネルに対応する周波数帯と重ならないチャネルに変更するよう通知する手段（１０８）を有し、
前記通知手段（１０８）の後に前記第一の通信手段（１０８）と前記第三の通信手段（２０６）のチャネルを変更する手段（１０８）を有することを特徴とする通信システム。
【請求項２】
撮像装置（１００）と撮像装置アクセサリ（２００）、外部機器（３００）を含む通信システムであって、
前記撮像装置（１００）は第一の通信手段（１０８）と第二の通信手段（１０９）を有し、
前記第一の通信手段（１０８）は前記撮像装置アクセサリ（２００）と通信することを特徴とし、
前記第二の通信手段（１０９）は前記外部機器（３００）と通信することを特徴とし、
前記撮像装置アクセサリ（２００）は前記撮像装置（１００）と通信する第三の通信手段（２０６）と発光手段（２０２）を有し、
前記第二の通信手段（１０９）を介して前記外部機器（３００）が前記撮像装置（１００）を制御する通信をする際に、前記第一の通信手段（１０８）が使用しているチャネルを変更する必要があるか判定する手段（１０３）を有し、
前記判定手段（１０３）によりチャネルを変更する場合、前記第一の通信手段（１０８）を介して前記撮像装置アクセサリ（２００）へ前記第二の通信手段（１０９）が使用しているチャネルに対応する周波数帯と重ならないチャネルに変更するよう通知する手段（１０８）を有し、
前記通知手段（１０８）の後に前記第一の通信手段（１０８）と前記第三の通信手段（２０６）のチャネルを変更する手段（１０８）を有することを特徴とする通信システム。
【請求項３】
前記判定手段（１０３）において前記第二の通信手段（１０９）が通信可能状態にある時は、前記第一の通信手段（１０８）が使用しているチャネルに対応する周波数帯が前記第二の通信手段（１０９）が使用している周波数帯と重なっていれば前記第一の通信手段（１０８）のチャネルを変更する、と判定することを特徴とする請求項１または２に記載の通信システム。
【請求項４】
前記外部機器（３００）が前記撮像装置（１００）を制御する通信は、前記第二の通信手段（１０９）を介して前記外部機器（３００）から前記撮像装置（１００）の撮像フレーム画像（１０２）を定期的に要求することを特徴とする請求項２に記載の通信システム。
【請求項５】
前記外部機器（３００）が前記撮像装置（１００）を制御する通信は、前記第二の通信手段（１０９）を介して前記外部機器（３００）から前記撮像装置（１００）に対して撮影画像を閲覧する要求であることを特徴とする請求項２に記載の通信システム。
【請求項６】
撮像装置（１００）と撮像装置アクセサリ（２００）、外部機器（３００）を含む通信システムであって、
前記撮像装置（１００）は第一の通信手段（１０８）と第四の通信手段（１１０）を有し、
前記第一の通信手段（１０８）は前記撮像装置アクセサリ（２００）と通信することを特徴とし、
前記第四の通信手段（１１０）は前記外部機器（３００）と通信することを特徴とし、
前記撮像装置アクセサリ（２００）は前記撮像装置（１００）と通信する第三の通信手段（２０６）と発光手段（２０２）を有し、
前記撮像装置（１００）から前記第一の通信手段（１０８）を介して前記撮像装置アクセサリ（２００）の前記発光手段（２０２）を制御する前に、前記第一の通信手段（１０８）が使用しているチャネルを変更する必要があるか判定する手段（１０３）を有し、
前記判定手段（１０３）によりチャネルを変更する場合、前記第一の通信手段（１０８）を介して前記撮像装置アクセサリ（２００）へ前記第四の通信手段（１０９）が使用しているチャネルに対応する周波数帯と重ならないチャネルに変更するよう通知する手段（１０８）を有し、
前記通知手段（１０８）の後に前記第一の通信手段（１０８）と前記第三の通信手段（２０６）のチャネルを変更する手段（１０８）を有することを特徴とする通信システム。
【請求項７】
前記判定手段（１０３）は前記第四の通信手段（１１０）が前記外部機器（３００）に対して定期的に接続要求を送信している状態の時は、前記第一の通信手段（１０８）が使用しているチャネルに対応する周波数帯と前記第四の通信手段（１１０）が使用しているチャネルに対応する周波数帯が重なっていれば、前記第一の通信手段（１０８）のチャネルを変更する、と判定することを特徴とする請求項６に記載の通信システム。
【発明の詳細な説明】
【技術分野】
【０００１】
本発明は、無線通信機器を有するカメラ、ストロボ、外部機器のシステムに関し、特にカメラとストロボの発光制御を実施する通信のチャネルを、カメラと外部機器の間で行われる通信のチャネルと重ならないように変更する方法に関するものである。
【背景技術】
【０００２】
従来、複数の無線通信方式が搭載されているカメラシステムに関し、Ｗｉ−Ｆｉ（登録商標）やＺｉｇｂｅｅ（登録商標）、最近ではＢｌｕｅｔｏｏｔｈ  Ｌｏｗ  Ｅｎｅｒｇｙ（登録商標）といった２．４ＧＨｚ帯の無線通信方式が増えてきている。これらがシステム内で通信干渉を起こし合うので、同時に使用する場合は互いにチャネルを回避する必要がある。
【０００３】
例えば、特許文献１では、複数の無線通信方式を持った無線通信システムが、一つの無線通信方式で通信する時に予め定められた各無線通信方式のチャネル使用制限に従ってチャネルを決定する技術が開示されている。特許文献２では、通信干渉が検出出来なくても干渉してしまうチャネルを回避する技術が開示されている。
【先行技術文献】
【特許文献】
【０００４】
【特許文献１】特開２００８−２０５７４８号公報
【特許文献２】特開２００５−４５３８８号公報
【発明の概要】
【発明が解決しようとする課題】
【０００５】
しかしながら、上述の特許文献１に開示された従来技術では、通信発生時は常にチャネルの選択動作が発生してしまう。また、特許文献２では使用可能なチャネルの通信状態を通信エラー等から判別することを特徴としているため、利用可能なチャネルを探す度にチャネルを切り替えて通信しなければならない。
【０００６】
そこで、本発明の目的は、無線ストロボの発光制御を実施する前にチャネルを変更するか判定し、変更することによって無線ストロボの発光制御失敗を低減するカメラシステムを提供することである。
【課題を解決するための手段】
【０００７】
撮像装置と撮像装置アクセサリ、外部機器を含む通信システムであって、前記撮像装置は第一の通信手段と第二の通信手段を有し、前記第一の通信手段は前記撮像装置アクセサリと通信することを特徴とし、前記第二の通信手段は前記外部機器と通信することを特徴とし、前記撮像装置アクセサリは前記撮像装置と通信する第三の通信手段と発光手段を有し、前記撮像装置から前記第一の通信手段を介して前記撮像装置アクセサリの前記発光手段を制御する前に、前記第一の通信手段が使用しているチャネルを変更する必要があるか判定する手段を有し、前記判定手段によりチャネルを変更する場合、前記第一の通信手段を介して前記撮像装置アクセサリへ前記第二の通信手段が使用しているチャネルに対応する周波数帯と重ならないチャネルに変更するよう通知する手段を有し、前記通知手段の後に前記第一の通信手段と前記第三の通信手段のチャネルを変更する手段を有することを特徴とする。
【発明の効果】
【０００８】
本発明によれば無線ストロボの発光制御時に、カメラと外部機器の間で通信されるＷｉ−Ｆｉ（登録商標）やＢｌｕｅｔｏｏｔｈ  Ｌｏｗ  Ｅｎｅｒｇｙ（登録商標）との通信干渉による発光制御の失敗を低減するシステムを提供することができる。
【図面の簡単な説明】
【０００９】
【図１】カメラ１００の構成例である。
【図２】ストロボ２００の構成例である。
【図３】カメラ１００とストロボ２００、スマートフォン３００で構成され、カメラ１００とストロボ２００は第一の無線通信方式、カメラ１００とスマートフォン３００は第二の無線通信方式、第三の無線通信方式で通信を行う本発明の実施例１、２の概略図である。
【図４】本発明の実施例１、２であるＺｉｇｂｅｅ、Ｗｉ−Ｆｉ、Ｂｌｕｅｔｏｏｔｈ  Ｌｏｗ  Ｅｎｅｒｇｙのチャネル概要図である。
【図５】本発明の実施例１におけるカメラ１００のチャネル変更の判定詳細である。
【図６】本発明の実施例１におけるカメラ１００とストロボ２００の第一の無線通信方式のチャネル変更に関するフローチャートである。
【図７】本発明の実施例１におけるカメラ１００とストロボ２００の第一の無線通信方式のチャネル変更に関するシーケンスである。
【図８】本発明の実施例２におけるカメラ１００とストロボ２００の第一の無線通信方式のチャネル変更に関するフローチャートである。
【図９】本発明の実施例２におけるカメラ１００とストロボ２００の第一の無線通信方式のチャネル変更に関するシーケンスである。
【発明を実施するための形態】
【００１０】
以下に、本発明の好ましい実施の形態を、添付の図面に基づいて詳細に説明する。図１は、本発明の実施形態にかかわるカメラのハードウェア構成例である。
【００１１】
［実施例１］
以下、図１を参照して、本発明の第１の実施例による、撮像装置としてのカメラ１００の構成について説明する。
【００１２】
図１は本発明の実施形態に関わる撮像装置としてのカメラ１００の構成例を示すシステムブロック図である。１００は、本発明の実施形態におけるカメラを表す。１０１はカメラ１００の撮影光学系を表し、レンズ、シャッター、絞りから構成されている。１０２はカメラ１００の撮像部を表し、光学系１０１を通って結像した光を画像に変換する。１０３はカメラ１００を制御するカメラ制御部を表し、カメラ１００を構成する各部分から入力される信号やプログラムに従って演算を行い、各部分への制御を指示する。１０４はインターフェースを表し、外部機器と接続して制御コマンドやデータの送受信を行う。
【００１３】
１０５は表示部を表し、撮影時のビューファインダー画像や撮影画像、ＧＵＩによる文字などの表示を行う。１０６は操作部を表し、ユーザーの操作を受け付ける。例えば、ボタンやスイッチ、ダイヤル、タッチパネルが挙げられる。１０７は記憶部を表し、フラッシュやＲＡＭから構成される。１０８は第一無線通信部を表し、後述するストロボと通信する。１０９は第二無線通信部、１１０は第四無線通信部を表し、外部機器と通信する。一例としてスマートフォンが挙げられる。
【００１４】
カメラ制御部１０３は撮像部１０２、インターフェース１０４、表示部１０５、操作部１０６、記憶部１０７、第一無線通信部１０８、第二無線通信部１０９、第四無線通信部１１０と接続している。操作部１０６によりカメラ１００を制御する。この時、操作部１０６からカメラ制御部１０３へ制御信号が入力される。カメラ制御部１０３は入力された制御信号に応じて撮像部１０２から記憶部１０７までの各周辺装置を制御する。カメラ制御部１０３は撮像命令が通知されると、撮像部１０２へ撮像を指示する。
【００１５】
そして光学系１０１は撮像部１０２から信号が入力され、被写体からの光を適切な量とタイミングで撮像部１０２に結像させる。これによりカメラ１００において撮像処理が行われる。カメラ制御部１０３がストロボ２００と相互に通信する場合、無線の場合は第一無線通信部１０８を介して、物理的に接続している場合はインターフェース１０４を介して行われる。
【００１６】
ユーザーの操作部１０６による操作や、第一無線通信部１０８もしくはインターフェース１０４を介して接続されたストロボの操作により、カメラ１００における静止画撮影や動画撮影といった撮像モード、ストロボの無線チャネルなどのパラメータ値が変更され、記憶部１０７に記憶される。そして、カメラ制御部１０３は表示部１０５に対して変更が反映された内容を表示させるように指示する。第二無線通信部１０９は第四無線通信部１１０に比べて送信出力や伝送速度が優れており、カメラ１００の撮影画像やライブビュー画像といった、サイズが大きいデータをカメラ制御部１０３から受信して外部機器と通信する。
【００１７】
第四無線通信部１１０は第二無線通信部よりも消費電力が優れており、撮影指示のみといった簡易的な制御を受信してカメラ制御部１０３へ通知する。また、外部機器と第二無線通信部１０９で通信するための通知を外部機器から受信してカメラ制御部１０３へ通知し、逆にカメラ制御部１０３から第四無線通信部１１０を介して外部機器へ通知する。第一無線通信部１０８、第二無線通信部１０９、第四無線通信部１１０の形態として、２つ挙げられる。
【００１８】
１つはカメラ１００に内蔵するタイプ、もう１つは第一無線通信部１０８、第二無線通信部１０９、第四無線通信部１１０をカード化して、カメラ１００にカードスロットを設けた着脱可能型タイプの２つが想定される。本実施例では内蔵タイプの場合について説明する。
【００１９】
図２は本発明の実施形態にかかわる撮像装置アクセサリとしてのストロボ２００の構成例を示すシステムブロック図である。２００は、本発明の実施形態におけるストロボを表す。２０１はストロボ２００の操作部を表し、ユーザーの操作を受け付ける。例えば、ボタンやスイッチ、ダイヤル、タッチパネルが挙げられる。２０２はストロボ２００の発光回路を表す。２０３はストロボ２００を制御するストロボ制御部を表し、ストロボ２００を構成する各部分から入力される信号やプログラムに従って演算を行い、各部分への制御を指示する。
【００２０】
２０４はインターフェースを表し、外部機器と接続して制御コマンドやデータの送受信を行う。２０５は表示部を表し、ＧＵＩによる文字などの表示を行う。２０６はストロボ２００に搭載されている第三無線通信部を表す。２０７は記憶部を表し、フラッシュやＲＡＭから構成される。
【００２１】
ストロボ制御部２０３は操作部２０１、発光回路２０２、インターフェース２０４、表示部２０５、第三無線通信部２０６、記憶部２０７と接続している。操作部２０１によりストロボ２００を制御する。この時、操作部２０１からストロボ制御部２０３へ制御信号が入力される。ストロボ制御部２０３は入力された制御信号に応じて、発光回路２０２から記憶部２０７までの各周辺装置を制御する。ストロボ制御部２０３は操作部２０１やインターフェース２０４、第三無線通信部２０６から発光命令が通知されると、発光回路２０２へ発光を指示する。これによりストロボ２００において発光処理が行われる。
【００２２】
ストロボ制御部２０３が撮像装置と相互に通信する場合、無線の場合は第三無線通信部２０６を介して、物理的に接続している場合はインターフェース２０４を介して行われる。ユーザーの操作部２０１による操作や第三無線通信部２０６もしくはインターフェース２０４を介して接続された撮像装置からの操作により、ストロボ２００の発光量指示、無線チャネルなどのパラメータ値を変更すると、ストロボ制御部２０３は表示部２０５に対して変更が反映された内容を表示させるように指示する。更に、ストロボ制御部２０３は、ストロボ２００と無線接続している他のストロボの制御を第三無線通信部２０６へ指示する。
【００２３】
第三無線通信部２０６はストロボ制御部２０３から指示された制御命令を無線接続している他のストロボへ送信する。そして、ストロボ制御部２０３は記憶部２０７に対して変更したパラメータ値を記憶するよう指示する。第三無線通信部２０６の形態として、２つ挙げられる。１つはストロボ２００に内蔵するタイプ、もう１つは第三無線通信部２０６をカード化して、ストロボ２００にカードスロットを設けた着脱可能型タイプの２つが想定される。本実施例では内蔵タイプの場合について説明する。
【００２４】
図３は、カメラ１００とストロボ２００、スマートフォン３００を使用した場合の本実施例の一形態である。カメラ１００とストロボ２００が第一無線通信部１０８、第三無線通信部２０６を介して第一の無線通信方式で通信し、スマートフォン３００とは第二無線通信部１０９、第四無線通信部１１０を介して第二の無線通信方式、第三の無線通信方式で通信する場合のシステムの概略図を表す。
【００２５】
第一の無線通信の方式はＺｉｇｂｅｅ（登録商標）、第二の無線通信の方式はＷｉ−Ｆｉ（登録商標）、第三の無線通信の方式はＢｌｕｅｔｏｏｔｈ  Ｌｏｗ  Ｅｎｅｒｇｙ（登録商標）を想定している。
【００２６】
図４は、本実施例であるＺｉｇｂｅｅ（登録商標）、Ｗｉ−Ｆｉ（登録商標）、Ｂｌｕｅｔｏｏｔｈ  Ｌｏｗ  Ｅｎｅｒｇｙ（登録商標）のチャネル概要図である。Ｚｉｇｂｅｅはチャネル数がチャネル１からチャネル１６までの１６個、１チャネルの周波数帯域は２ＭＨzで、チャネル１の中心周波数を２４０５ＭＨｚとしてそこから５ＭＨｚ間隔でチャネル２からチャネル１６まで分布している。
【００２７】
Ｗｉ−Ｆｉ（登録商標）はチャネル数がチャネル１からチャネル１３までの１３個、１チャネルの周波数帯域は２２ＭＨｚで、チャネル１の中心周波数を２４１２ＭＨｚとしてそこから５ＭＨｚ間隔でチャネル２からチャネル１３まで分布している。
【００２８】
Ｂｌｕｅｔｏｏｔｈ  Ｌｏｗ  Ｅｎｅｒｇｙ（登録商標）はチャネル数がチャネル０からチャネル３９までの４０個、１チャネルの周波数帯域は２ＭＨｚで、チャネル３７の中心周波数を２４０２ＭＨｚとしてそこから２ＭＨｚ間隔で分布している。チャネル３７、３８、３９の３チャネルはアドバタイズチャネルと呼ばれ、接続処理時のみ用いられており、これらをホッピングさせて通信している。接続後はチャネル０からチャネル３６の３７チャネルでホッピングさせながら通信している。
【００２９】
接続後に関してはＡＦＨ（Ａｄａｐｔｉｖｅ  Ｆｒｅｑｕｅｎｃｙ  Ｈｏｐｐｉｎｇ）という機能により、他の通信機器から出力される電波を受信して、受信した電波の周波数帯を避けるように動的にホッピング制御を修正している。以上より、アドバタイズパケット送信時は３つのチャネルをホッピングして通信しているため、Ｚｉｇｂｅｅ（登録商標）のチャネルがアドバタイズチャネル３８、３９の周波数帯と重なっていると通信干渉が発生する可能性がある。
【００３０】
図５は本実施例でのカメラ１００の第一無線通信部１０８のチャネル変更の判定に関するものである。第一無線通信部１０８のチャネル変更の判定はカメラ制御部１０３が記憶部１０７から第一無線通信部１０８、第二無線通信部１０９、第四無線通信部１１０の状態、設定チャネルを読み出して実施する。状態は第二無線通信部１０９が通信不可状態と通信可能状態の２状態、第三無線通信部１１０が通信不可状態、アドバタイズパケット送信状態、接続済み状態の３状態である。
【００３１】
まず、第二無線通信部１０９と第四無線通信部１１０の状態を確認する。第二無線通信部１０９が通信不可状態の場合、第四無線通信部１１０がスマートフォンに対して定期的にアドバタイズパケットを送信している状態に限りチャネル変更判定を実施する。第一無線通信部１０８と第四無線通信部１１０が使用しているチャネルに対応する周波数帯が重なっていた場合、カメラ制御部１０３は第一無線通信部１０８に対して第四無線通信部１１０が使用しているチャネルの周波数帯と重ならないチャネルを指定した上で変更する通知を行う。
【００３２】
上記にて第四無線通信部１１０が定期的にアドバタイズパケットを送信している状態である場合のみ第一無線通信部１０８と第三無線通信部２０６のチャネルを変更するのは、図４で説明したように、第四無線通信部１１０がアドバタイズパケットを送信している時はチャネル３７、３８、３９の３個のチャネルをホッピングして使用していて、第一無線通信部１０８のチャネルが重なっていると干渉しやすいためである。一方、接続時はチャネル０から３６の３７個のチャネルをホッピングさせているため未接続時よりも干渉しにくい。
【００３３】
更に、ＡＦＨにより、第一無線通信部１０８から出力される電波を受信して、受信した電波の周波数帯を避けるように動的にホッピング制御を修正することから第一無線通信部１０８のチャネルを変更しない。
【００３４】
一方、第二無線通信部１０９が通信可能状態である場合は第四無線通信部１１０の状態に限らずチャネル変更判定を実施する。ただし、第一無線通信部１０８のチャネル変更の内容は第四無線通信部１１０の状態によって異なる。第四無線通信部１１０が通信不可状態もしくは接続済み状態の時は第一無線通信部１０８のチャネルは第二無線通信部１０９が使用するチャネルに対応する周波数帯を避けたチャネルをカメラ制御部１０３が指定した上で第一無線通信部１０８に通知される。
【００３５】
第四無線通信部１１０が定期的に接続要求を送信している場合は、第二無線通信部１０９と第四無線通信部１１０が使用するチャネルに対応した周波数帯を避けたチャネルをカメラ制御部１０３が指定した上で第一無線通信部１０８に通知される。
【００３６】
図６は本実施例でのカメラ１００の撮像処理に伴う発光制御時にカメラ１００の第一無線通信部１０８と、ストロボ２００の第三無線通信部２０６のチャネル変更に関するフローチャートである。
【００３７】
まず、操作部１０６においてカメラ１００の撮像を行うレリーズボタンを押下することでカメラ制御部１０３にレリーズ信号が通知される（Ｓ６０１）。カメラ制御部１０３はレリーズ発生に伴い、図５で説明した第一無線通信部１０８のチャネル変更判定を行う（Ｓ６０２）。カメラ制御部１０３はチャネル変更判定結果からチャネル変更を行うか否か判定する（Ｓ６０３）。（Ｓ６０３）での判定結果でチャネル変更を行う場合、カメラ制御部１０３は第一無線通信部１０８と第三無線通信部２０６のチャネルを発光制御準備時に変更する（Ｓ６０４）。
【００３８】
具体的には、カメラ制御部１０３から第一無線通信部１０８へ発光制御準備の旨を通知する。この時チャネル変更通知の旨も含める。発光制御準備では、ストロボ２００が発光を行うために必要なパラメータを通知している。内容は発光モード、発光量、発光グループなどが挙げられる。第一無線通信部１０８は通知を受けて第三無線通信部２０６に対してチャネル変更を含めた発光制御準備通信を送信する。第一無線通信部１０８は発光制御準備通信送信後、第三無線通信部２０６は発光制御準備通信受信後にチャネルを変更する。
【００３９】
一方、（Ｓ６０３）での判定結果でチャネル変更を行わない場合、チャネル変更通知を含めることなく発光制御準備を実施する（Ｓ６０５）。発光制御準備処理後、カメラ制御部１０３は第一無線通信部１０８と第三無線通信部２０６を介してストロボ制御部２０３へ発光処理を通知してストロボ２００を発光させる（Ｓ６０６）。以上が本実施例でのカメラ１００の撮像処理に伴う発光制御時にカメラ１００の第一無線通信部１０８と、ストロボ２００の第三無線通信部２０６のチャネル変更に関するフローチャートである。
【００４０】
図７は本実施例でのカメラ１００の撮像処理に伴う発光制御時にカメラ１００の第一無線通信部１０８と、ストロボ２００の第三無線通信部２０６のチャネル変更に関するシーケンスである。
【００４１】
まず、操作部１０６においてカメラ１００の撮像を行うレリーズボタンを押下する。それによりカメラ制御部１０３は操作部１０６から制御信号が入力される（Ｐ７０１）。カメラ制御部１０３は図４で説明した第一無線通信部１０８のチャネルを変更するか否か判定する（Ｐ７０２）。ここではチャネルを変更すると判定した前提で説明する。カメラ制御部１０３が第一無線通信部１０８のチャネルを変更する場合、発光制御準備開始の通知と共に変更チャネルも指定して第一無線通信部１０８に通知する（Ｐ７０３）。
【００４２】
第一無線通信部１０８は発光制御準備開始を受信したらストロボ２００の第三無線通信部２０６へ発光制御準備通信を送信する（Ｐ７０４）。送信後、カメラ１００の第一無線通信部１０８とストロボ２００の第三無線通信部２０６は指定されたチャネルに変更し、変更したチャネルをそれぞれ記憶部１０７と２０７に記憶させる（Ｐ７０５）。カメラ１００の第一無線通信部１０８はカメラ制御部１０３へ発光制御準備完了の通知を行う（Ｐ７０６）。ストロボ２００の第三無線通信部２０６はチャネル変更後にストロボ制御部２０３へ発光パラメータを通知する（Ｐ７０７）。
【００４３】
ストロボ制御部２０３は通知された発光パラメータを記憶部２０７に設定する（Ｐ７０８）。カメラ制御部１０３は発光準備完了の通知を受けて第一無線通信部１０８へ発光トリガを通知する（Ｐ７０９）。発光トリガを通知された第一無線通信部１０８はストロボ２００の第三無線通信部２０６へ発光命令を送信する（Ｐ７１０）。発光命令を受信したストロボ２００の第三無線通信部２０６は発光通知をストロボ制御部２０３へ通知する（Ｐ７１１）。発光命令を受信したストロボ制御部２０３は設定した発光パラメータに従い発光部２０２を発光させる（Ｐ７１２）。
【００４４】
以上が本実施例におけるカメラ１００の第一無線通信部１０８とストロボ２００の第三無線通信部２０６の発光制御時のチャネル変更に関する概要である。
【００４５】
以上で説明したように、本実施例によればカメラ１００の撮像処理に伴う発光制御時にカメラ１００の第一無線通信部１０８とストロボ２００の第三無線通信部２０６は第二無線通信部１０９と第四無線通信部１１０が使用するチャネルの周波数帯と重なることなく発光制御が実施出来る。本実施例では撮像処理のトリガとして操作部１０６のレリーズボタンを挙げたが、スマートフォン３００で第二の無線通信方式によるリモートレリーズ要求でも同様の効果が達成可能である。
【００４６】
具体的には、スマートフォン３００からリモートレリーズ要求を第二無線通信部１０９へ送信し、リモートレリーズ要求を受信した第二無線通信部１０９がカメラ制御部１０３に対してレリーズ要求を通知する。
【００４７】
なお、本実施例では（Ｐ７０４）と（Ｐ７１０）にて発光制御準備通信と発光命令通信を１回だけ送信しているが、複数回送信することも可能である。複数回送信することで、パケットロストによるストロボ２００の発光失敗の機会を削減出来る。
【００４８】
［実施例２］
ここからは本発明の第２の実施例による、スマートフォン３００からカメラ１００を制御することで、第二無線通信部１０９にて一定期間データ通信が発生する場合のカメラ１００の第一無線通信部１０８とストロボ２００の第三無線通信部２０６のチャネル変更について説明する。引き続きカメラ１００のハードウェア構成例の図１、ストロボ２００のハードウェア構成例の図２、システム構成図の図３を用いる。
【００４９】
ここで言うデータ通信とは、スマートフォン３００からカメラ１００に対してカメラ１００のライブビュー画像を要求するリモートライブビューや、カメラ１００が保持している撮影画像の閲覧を要求する画像閲覧要求などが挙げられる。どちらもスマートフォンから要求し、ライブビューの停止を要求するか、もしくは対象の撮影画像の取得が完了するまで第二無線通信部１０９がスマートフォン３００と通信し続けることになる。
【００５０】
そのため、カメラ１００の第一無線通信部１０８、ストロボ２００の第三無線通信部２０６のチャネルが第二無線通信部１０９で使用するチャネルの周波数帯と重なると、実施例１の発光制御準備通信（Ｐ７０４）が干渉によって第三無線通信部２０６が受信出来ず、チャネルを変更出来ない可能性がある。よって、リモートライブビューや画像閲覧の開始前にチャネルを変更する。
【００５１】
上記を踏まえて、図８でスマートフォン３００と第二無線通信部１０９の間でリモートライブビュー通信が発生する時のカメラ１００の第一無線通信部１０８とストロボ２００の第三無線通信部２０６のチャネル変更フローチャートについて説明する。
【００５２】
第二無線通信部１０９がスマートフォン３００からリモートライブビュー要求を受信すると、その旨がカメラ制御部１０３へ通知される（Ｓ８０１）。カメラ制御部１０３は図５で説明したチャネル変更判定を実施する（Ｓ８０２）。カメラ制御部１０３は第一無線通信部１０８と第三無線通信部２０６のチャネルを変更するか否か確認する（Ｓ８０３）。（Ｓ８０３）での判定結果によりチャネルを変更する場合、カメラ制御部１０３は第一無線通信部１０８と第三無線通信部２０６のチャネルを変更する（Ｓ８０４）。
【００５３】
具体的には、第一無線通信部１０８はカメラ制御部１０３からチャネル変更の通知を受けて、第三無線通信部２０６に対してチャネル変更通知を送信する。送信後、第一無線通信部１０８はチャネルを変更する。第三無線通信部２０６は第一無線通信部１０８からチャネル変更通知を受信したらチャネルを変更する。一方、（Ｓ８０３）での判定結果によりチャネルを変更しない場合、カメラ制御部１０３は第一無線通信部１０８へは何も通知せず終了となる。以上がスマートフォン３００と第二無線通信部１０９の間でリモートライブビュー通信が発生する時のカメラ１００の第一無線通信部１０８とストロボ２００の第三無線通信部２０６のチャネル変更フローチャートの概要である。
【００５４】
更に、図９でスマートフォン３００と第二無線通信部１０９の間でリモートライブビュー通信が発生する時のカメラ１００の第一無線通信部１０８とストロボ２００の第三無線通信部２０６のチャネル変更シーケンスについて説明する。
【００５５】
第二無線通信部１０９がスマートフォン３００からリモートライブビュー要求を受信すると、その旨がカメラ制御部１０３へ通知される（Ｐ９０１）。カメラ制御部１０３は実施例１の（Ｐ７０２）と同様にチャネル変更判定を実施する（Ｐ９０２）。実施例１と同様に、チャネル変更すると判定した前提で説明する。カメラ制御部１０３が第一無線通信部１０８のチャネルを変更する場合、第一無線通信部１０８に対してチャネル変更する旨を通知する。
【００５６】
この時、変更するチャネルも指定する（Ｐ９０３）。チャネル変更の通知を受けて第一無線通信部１０８はストロボ２００の第三無線通信部２０６へチャネル変更を送信する（Ｐ９０４）。送信後、カメラ１００の第一無線通信部１０８とストロボ２００の第三無線通信部２０６は指定されたチャネルに変更し、変更したチャネルをそれぞれ記憶部１０７と２０７に記憶させる（Ｐ９０５）。カメラ１００の第一無線通信部１０８はカメラ制御部１０３へチャネル変更完了の通知を行う（Ｐ９０６）。
【００５７】
以上が本実施例におけるスマートフォン３００からカメラ１００を制御することで、第二無線通信部１０９にてリモートライブビュー通信が発生する場合のカメラ１００の第一無線通信部１０８とストロボ２００の第三無線通信部２０６のチャネル変更に関する概要である。
【００５８】
以上で説明したように、本実施例によればスマートフォン３００からカメラ１００を制御することで、カメラ１００の第二無線通信部１０９にて一定期間データ通信が発生する時にカメラ１００の第一無線通信部１０８とストロボ２００の第三無線通信部２０６は第二無線通信部１０９と第四無線通信部１１０が使用するチャネルの周波数帯と重なることなく発光制御が実施出来る。本実施例では一定期間データ通信が発生するトリガとしてリモートライブビューを挙げたが、画像閲覧要求でも同様の効果が達成可能である。
【００５９】
以上、本発明の好ましい実施形態について説明したが、本発明はこれらの実施形態に限定されず、その要旨の範囲内で種々の変形及び変更が可能である。
【符号の説明】
【００６０】
１００  カメラ
１０３  カメラ制御部
１０８  第一無線通信部
１０９  第二無線通信部
２００  ストロボ
２０２  発光部
２０６  第三無線通信部
３００  スマートフォン
【図１】
2018129644.tif 000003
【図２】
2018129644.tif 000004
【図３】
2018129644.tif 000005
【図４】
2018129644.tif 000006
【図５】
2018129644.tif 000007
【図６】
2018129644.tif 000008
【図７】
2018129644.tif 000009
【図８】
2018129644.tif 000010
【図９】
2018129644.tif 000011